(57)【要約】【課題】葉菜用アマランサスの商品価値を高めるために赤色の発色を増強させ、一定品質のアマランサスを供給すること及びその栽培方法を提供することを目的とする。【解決手段】本発明のアマランサスの栽培方法は、アマランサスの生育過程において有効量の金属塩を含む水溶液と接触させて栽培し、クロロフィルを減少させ相対的にベタシアニン含有量を増加させたことを特徴とする水耕栽培方法である。金属塩濃度は２５ｍＭ〜１００ｍＭの濃度であり、葉の細胞内におけるクロロフィルとベタシアニンの含有（ng/cm2）比が、５８０００：１３〜４００００：１７である赤色アマランサスが得られる。【選択図】なし【特許請求の範囲】
【請求項１】
アマランサスの生育過程において有効量の金属塩を含む水溶液と接触させて栽培し、クロロフィルを減少させ相対的にベタシアニン含有量を増加させたことを特徴とする赤色アマランサスの水耕栽培方法。
【請求項２】
金属塩濃度が２５ｍＭ〜１００ｍＭの濃度である請求項１記載のアマランサスの水耕栽培方法。
【請求項３】
請求項１または２の何れかに記載の水耕栽培方法によって得られる赤色アマランサス。
【請求項４】
葉の細胞内におけるクロロフィルとベタシアニンの含有（ng/cm2）比が、５８０００：１３〜４００００：１７である赤色アマランサス。
【発明の詳細な説明】
【技術分野】
【０００１】
本発明は、アマランサスの栽培方法に関し、特に葉菜用アマランサスとして利用される、葉が鮮やかな赤に発色させたアマランサスおよびその栽培方法に関する。
【背景技術】
【０００２】
アマランサスは、ハゲイトウの仲間で、ヒユ科、ヒユ属の１年草本である。種分化は非常に多様で、雑種も多く、分類は難しい。種の数は分類により約２０種〜約３００種と大きな幅があり、近年の研究によると、アマランサスは３亜属７０種に分類できるという。観賞用、子実用、野菜用の用途があって、１０種ほどが食用に供されている。南米ではインカ帝国の昔から種子を穀物として栽培され、トウモロコシ・豆類に匹敵する重要作物であった。表現型が多様であり、日本では、東北地方でヒモゲイトウ、センニンコクの名前で観賞用、食用に栽培されていたが、作物としての栽培にはみるべきものは無かった。
【０００３】
しかし、近年の健康志向により見直され、雑穀として栄養成分が豊富なこと、タンパク質、鉄、カルシウム、カリウムなどのミネラルの他、穀物に不足がちな必須アミノ酸であるリジン、メチオニン、フェニルアラニンなども多く含んでおり、健康食品として販売されるようになっている。また、水田転換作物としても期待されており、子実だけでなく、葉菜についてもホウレンソウと同様な調理法で、くせがなく、さっぱりした食感のため、おひたしや漬け物、炒め物や赤色を生かした野菜サラダなどとして食されるようになった。
【０００４】
野菜としてのアマランサスの葉は、特に鮮やかな赤紫色が、彩り野菜として商品価値が高いと考えられる。しかし、栽培環境等の差異により葉色が変化するため、商品としての価格設定を維持するには葉色を一定基準以上の赤に発色させることが必要である。この赤色発色の基となる物質は、アマランサス中のベタシアニンというポリフェノールの一種である。
【０００５】
ところで、一般に、植物の葉が緑色に見えるのは光合成の中心的役割を果たすクロロフィルが原因であるが、寒くなり日照時間が短くなるとクロロフィルが分解され、また、葉柄の付け根に離層という特殊な水分を通しにくい組織ができ、葉で作られた水溶性のブドウ糖や蔗糖などの糖類やアミノ酸類が葉に蓄積し、その糖から光合成を利用して新たな色素が作られたりする。その過程で葉の色が赤や黄色に変化し、いわゆる紅葉が起こる。
【０００６】
アマランサスの赤色は前記の紅葉とは異なるが、アマランサスの葉色をより鮮やかに赤く発色させるためには、緑色色素のクロロフィルの含有量を抑えて赤色色素のベタシアニンの色をより発現させるか、ベタシアニンそのものの含有量を増大させること（いずれにしても相対比でベタシアニン量を増やすこと）が必要と思われる。このアマランサス中のベタシアニン量を増加させる技術に関する先行文献としては、例えば過酸化水素で処理する方法（非特許文献１）や、サリチル酸処理によるもの（非特許文献２）などがあるが、商品化を見据えた場合には実用的な方法とはいい難い。
【０００７】
また、カルス（固形培地上等で培養されている分化していない状態の植物細胞の塊）培養におけるベタシアニン系色素の増大方法として、赤ビートの根茎に蓄積するベタシアニン系色素を、人為的に効率よく製造する方法（特許文献１）や、ハゲイトウを組織培養してカルスを誘導し、培地で明所にて赤色色素産生細胞を選択しながら継体培養し、ベタシアニン色素を回収する方法（特許文献２）などがある。これらの方法は試験管的に行い、色素のみを選択的に回収することを目的とするもので、アマランサスを野菜として商品化する上では、直接栽培方法に応用することは困難である。
【０００８】
なお、従来から塩による植物のストレスについては、細胞外に存在する塩によって細胞内のアミノ酸や糖の種類や含量の変化が起こり、細胞内の浸透圧を調節して、塩ストレスに対して耐性を有するようになるといった、塩ストレスを受けた植物の生理的反応（具体的には、イオン濃度調節遺伝子によって、根からの塩の吸収を防止したり、取り込んだ塩を細胞内代謝とは区別された液胞に閉じ込めるなどの仕組みにより生理活性への障害を回避する反応）についてはよく知られている。しかしながら、塩ストレスにより植物にどのような表現型が現れるのか、また塩ストレスを積極的に植物の栽培に利用することは行われておらず、むしろどのような方法により塩ストレスを緩和・回避するかに関して提案されている（特許文献３）のである。
【先行技術文献】
【特許文献】
【０００９】
【特許文献１】特開平２−２４２６９１号公報
【特許文献２】特開平４−６３５９９号公報
【特許文献３】特開平８−１９３０１８号広報
【非特許文献】
【００１０】
【非特許文献１】ワングら（C.Q.Wang et al.）Plant Science  172、1〜7、２００７年
【非特許文献２】カンダカー（L.Khandaker）岐阜大学大学院連合農学研究科、博士論文、２００８年
【発明の概要】
【発明が解決しようとする課題】
【００１１】
前記の通り、葉菜用アマランサスの商品価値を高めるために赤色の発色を増強させ、一定品質のアマランサスを供給すること及びその栽培方法を提供することを目的とする。
【課題を解決するための手段】
【００１２】
本発明のアマランサスの栽培方法は、その生育過程において有効量の金属塩を含む水溶液と接触させて栽培し、いわゆる適度な塩ストレスを与えて葉の細胞内におけるクロロフィル含有量を減少させ、相対的にベタシアニン含有量を増加させたことを特徴とする水耕栽培による方法である。これによって緑の発色が抑えられ、赤の発色がより強調されることとなる。
【００１３】
前記金属塩濃度としては、２５ｍＭ〜１００ｍＭの濃度範囲であることが好ましい。２５ｍＭ未満では、赤色発色の増強効果が低く、１００ｍＭより高濃度で作用させると、却って塩ストレスによりアマランサスの生育事態が妨げられるためである。なお、前記金属塩は塩化ナトリウムや塩化カリウムなどの人体に対する安全性に問題が無いものを使用することが好ましい。
【００１４】
また、赤色発色の程度としては、塩ストレスにより得られるアマランサスの葉の細胞からクロロフィルおよびベタシアニンを抽出して対比すると、両者の含有（ng/cm2）比が５８０００：１３〜４００００：１７の範囲にあるものが好ましい。
【発明の効果】
【００１５】
本発明は、有効量の金属塩を含む水溶液をアマランサスの生育過程において接触させて栽培し、葉色が鮮やかな赤色を呈するようにした水耕栽培である。天然で栽培するアマランサスの葉色に比較して赤色の発色具合が良く、一定以上の発色を維持することができるので、商品価値の維持、品質管理に極めて有効である。また、金属塩としては人体に対する安全性が高いものを使用すればよいので、収穫されるアマランサスを従来品と同様に扱い、食することができる。
【００１６】
本発明の水耕栽培では通常の液肥に金属塩を規定濃度になるように添加するだけで良いので、簡便に利用することができる。金属塩は塩化ナトリウムや塩化カリウムなどの非常に安価な塩を利用でき、施用方法もこれを所定の水溶液にして施肥するだけですむため、従来になかった赤色アマランサスを安価にかつ大量に市場に提供することができる。
【図面の簡単な説明】
【００１７】
【図１】図１は、実施例１における塩ストレスをかけないで水耕栽培した赤色アマランサスの葉色をＬ＊ａ＊ｂ＊表色系で表したときのａ＊ｂ＊。
【図２】図２は、実施例１における２５ｍＭの塩化ナトリウム濃度で水耕栽培した赤色アマランサスの葉色をＬ＊ａ＊ｂ＊表色系で表したときのａ＊ｂ＊。
【図３】図３は、実施例１における５０ｍＭの塩化ナトリウム濃度で水耕栽培した赤色アマランサスの葉色をＬ＊ａ＊ｂ＊表色系で表したときのａ＊ｂ＊。
【図４】図４は、実施例１における７５ｍＭの塩化ナトリウム濃度で水耕栽培した赤色アマランサスの葉色をＬ＊ａ＊ｂ＊表色系で表したときのａ＊ｂ＊。
【図５】図５は、実施例１における１００ｍＭの塩化ナトリウム濃度で水耕栽培した赤色アマランサスの葉色をＬ＊ａ＊ｂ＊表色系で表したときのａ＊ｂ＊。
【図６】図６は、実施例１における塩化ナトリウムを各種濃度で水耕栽培した赤色アマランサスの葉の細胞に含まれるベタシアニン含量を示す。
【図７】図７は、実施例２における塩ストレスをかけないで水耕栽培した赤色アマランサスの葉色をＬ＊ａ＊ｂ＊表色系で表したときのａ＊ｂ＊。
【図８】図８は、実施例２における２５ｍＭの塩化カリウム濃度で水耕栽培した赤色アマランサスの葉色をＬ＊ａ＊ｂ＊表色系で表したときのａ＊ｂ＊。
【図９】図９は、実施例２における５０ｍＭの塩化カリウム濃度で水耕栽培した赤色アマランサスの葉色をＬ＊ａ＊ｂ＊表色系で表したときのａ＊ｂ＊。
【図１０】図１０は、実施例２における７５ｍＭの塩化カリウム濃度で水耕栽培した赤色アマランサスの葉色をＬ＊ａ＊ｂ＊表色系で表したときのａ＊ｂ＊。
【図１１】図１１は、実施例２における１００ｍＭの塩化カリウム濃度で水耕栽培した赤色アマランサスの葉色をＬ＊ａ＊ｂ＊表色系で表したときのａ＊ｂ＊。
【図１２】図１２は、実施例２における塩化カリウムを各種濃度で水耕栽培した赤色アマランサスの葉の細胞に含まれるベタシアニン含量を示す。
【図１３】図１３は、実施例２における塩化カリウムを各種濃度で水耕栽培した赤色アマランサスの葉の細胞に含まれるクロロフィル含量を示す。
【発明を実施するための形態】
【００１８】
以下に本発明の水耕栽培方法および得られる赤色アマランサスについて詳述する。
【００１９】
本発明の赤色アマランサスは、生育過程において有効量の金属塩水溶液と接触させることが重要である。いわゆる塩ストレスを与えることとなる。一般に塩ストレスは、植物に対して悪影響を与えると考えられており、植物は細胞内の浸透圧を調節して塩ストレスに対して防御機構を働かせる。しかしこのストレスの影響が植物の防御反応の閾値を超えてしまうと健全な生育を阻害し、やがて個体の枯死を引き起こすこととなる。本発明では、適度な塩ストレスがアマランサスの生育に対しては、赤色発色を際だたせることができるという新規な知見に基づくものである。こうして葉色を管理することによって、赤色アマランサスの好ましい調理法の一つである彩り野菜のサラダに最適な一定品質のアマランサスを供給することができるのである。
【００２０】
アマランサスを金属塩水溶液と効率よく接触させるためには水耕栽培が最も適している。勿論、近年の化学肥料の大量使用や長期にわたる連作によって土壌中での塩類が高濃度に集積した土地や、この塩類集積の弊害が頻発するとされるハウス土壌、或いは海岸付近地域での海水などによる塩害、乾燥地帯での過度の蒸散による表層土壌の塩類集積地など、敢えて一般の土壌よりも塩濃度が高い土地で栽培することも可能である。しかしそのような場合には、土壌を有効塩濃度に調整するために、土壌の交換や灌水などに多大の費用や労力を要することになりかねず、本発明においては水耕栽培を推奨するものである。
【００２１】
有効量の金属塩水溶液として、使用される金属塩によって異なるが、具体的には金属塩の濃度が、２５ｍＭ〜１００ｍＭ、より好ましくは５０ｍＭ〜７５ｍＭの範囲である。前記濃度範囲未満では、塩ストレスの効果すなわち赤色発色を強調させることが困難であり、一方、前記範囲より高濃度の金属塩水溶液を接触させるとアマランサスの生育そのものを阻害するからである。
【００２２】
金属塩とは、酸の水素を金属に置き換えた化合物の総称で、具体的には塩化ナトリウム、塩化カリウムの他、硝酸ナトリウム、硝酸カリウム、硫酸ナトリウム、硫酸カリウム、硫酸カルシウム、硫酸マグネシウム、リン酸二水素ナトリウム、リン酸二ナトリウム、リン酸二水素カリウムなどがあり、これらを一種以上組み合わせて用いる。これらの中で、本発明においては、アマランサスの生育、発色、採取・食用する人体、使用環境等への様々な影響や、コスト、操作性などを考慮して、塩化ナトリウムおよび塩化カリウムが最も好ましい。
【００２３】
金属塩水溶液には、前記金属塩の他にいわゆる水耕栽培用液肥としての成分を含むことができる。当該成分には、硝酸カルシウム、硝酸カリウム、リン酸アンモニウム、硝酸アンモニウム、硫酸マグネシウムなどの比較的多量な要素の栄養成分の他、微量要素の硫黄、鉄、マンガン、ホウ素、亜鉛、銅、モリブデンなどが相当する。これらの成分を含む溶液を水耕栽培用液肥といい、一般に使用される水耕栽培用液肥を以降では、便宜上「通常の水耕栽培用液肥」と呼ぶこととする。既に記載の通り前記成分には本発明の金属塩と重複する化合物があるが、本発明では前記金属塩を単独若しくは組み合わせて用いるか、通常の水耕栽培用液肥の各成分の濃度は従来通りとし、それに追加して前記金属塩を所定量含むものを水耕栽培に用いる。
【００２４】
本発明のアマランサスの水耕栽培方法は一般的な方法とほぼ同様であり、およそ以下の通りである。まず、赤色アマランサス（Amaranthus tricolor L）をたねまき用土（例えばバーミキュライト（ヒル石を高温で膨張させた土で、指で簡単に崩すことができる））に播種し、発芽・生育した苗を水耕栽培装置に移植する。この後、（ａ）有効量の金属塩を含む水溶液と通常の水耕栽培用液肥との接触を定期的に繰り返す、（ｂ）有効量の金属塩を含む水耕栽培用液肥と通常の水耕栽培用液肥との接触を定期的に繰り返す、（ｃ）有効量の金属塩を含む水耕栽培用液肥を接触させ続ける、のいずれかの方法若しくは２種以上の方法を組み合わせて、アマランサスに対して塩ストレスを与える。
【００２５】
前記（ａ）のサイクルは塩ストレスが強い溶液と、それが解消された溶液とが繰り返されてストレスを波状に与えることが特徴で、（ｃ）は急激な環境変化の繰り返しが無い代わりに、長期に渡って塩ストレスを受け続けることになる。また（ｂ）は最も塩ストレスが緩和された接触方法と言える。中でも、アマランサスの生育への影響を最小限にしつつ赤色発色を効果的にするという理由で（ｃ）の方法が好ましい。
【００２６】
一般に水耕栽培は、流動法と静置法とに分類され、流動法には薄膜水耕（ＮＦＴ）と湛液型水耕が、静置法には毛管水耕とパッシブ水耕と呼ばれる栽培法がある。例えば、ＮＦＴは、１％程度の緩やかな傾斜を持つ平面上に、培養液を薄く（少量ずつ）流下させるもので高設化できるので作物と地面の距離をあけて地面からの病害虫の進入を減らすことができるという利点がある。また、湛液型水耕は、栽培ベッドに肥料が溶けた液肥を溜め、土を使わずに液肥のみで栽培する。ＮＦＴに比べ液肥の量が多いため肥料濃度や液温の変化がゆるやかとなり、管理しやすいが、根の酸素吸収が液肥の溶存酸素量に依存するため、根圏酸素要求量が多い作物では生育が劣ることがある。一方、毛管水耕は、吸水性の不織布上に苗を定植し、根を湿気中で生育させる方法で、土床栽培と同様に、根へより多くの酸素を供給することができるという点で優れている。さらに、パッシブ水耕は、固形培地を柱状にし、その下方を液肥で満たし、液肥の水位が下がるにつれ根が空中に曝され酸素が根に供給される方法である。本発明では、流動法、静置法のいずれをも採用することができる。
【００２７】
本発明の金属塩を含む水溶液と接触させる時期であるが、発芽後２週間〜６週間、好ましくは３週間〜４週間である。前記時期より早いと苗が十分な耐性を有していないので、生育を阻害するおそれがあり、前記時期より遅いと赤を強調した葉色にすることが困難になるからである。
【００２８】
本発明の水耕栽培により得られる赤色アマランサスは、上記のように塩ストレスによって葉色をより鮮やかな赤に発色させている。この色についての評価はＬ＊ａ＊ｂ＊表色系で測定できる。Ｌ＊ａ＊ｂ＊表色系は、いわゆるＵＣＳ（Uniform Color Space）の代表的なもので、「均等色空間」と言われる。ＵＣＳつまり均等色空間とは、心理的（色を見たとき）に、同じ色違いに見える色同士の距離（心理的な距離感）を均等にしてある色立体（＝色空間）のことである。ＣＩＥ（国際照明委員会）が１９７６年に推奨した色空間で、ＣＩＥ１９７６（Ｌ＊ａ＊ｂ＊）表色系と呼ばれ、ＣＩＥＬＡＢと略記される。日本工業規格では、ＪＩＳ Ｚ ８７２９に規定されている。
【００２９】
たとえば、赤２色の色違いの度合いと、緑２色の色違いの度合いが、心理的に同じに見える時には、その２色間の
距離を同じにするという考え方のもとに開発されたシステムである。色の並びが均等にできている、ということで、ＵＣＳと呼ばれている。このシステムの利点は、色違い（色差）が均等に測れる点である。つまり、製品の色彩管理に向いているのである。色差が均等にできている性質のことを、等色差性といい、等色差性を持つ代表的システムとしては、マンセル表色系がある。Ｌ＊ａ＊ｂ＊表色系は、そのマンセルシステムをモデルとして改良されてきたものだが、まだ完璧ではない。しかし、等色差性をよく持っているので、現在では、マンセルシステムと並んで、産業界では非常によく使用されている。
【００３０】
また、葉色を決定づけている、ベタシアニン並びにクロロフィルそれぞれの含有量については、以下のような手順により測定することができる。
【００３１】
ベタシアニン含量の測定は、Wyler et al.（１９５９）の方法に準じて行う。すなわち、冷凍保存させた葉を１２ｍｍリーフパンチで切り抜き、切り抜いた葉２枚に５０μＭアスコルビン酸を加えた８０％メタノール２０ｍｌを添加し、乳鉢・乳棒により磨砕後、ろ液を１３６回転／分で３０分間振とうする。その後、３０００ｒｐｍで１０分間遠心分離した上清を分析試料とする。なお、ＫＣｌ処理では切り抜いた葉は１枚とし、５０μＭアスコルビン酸を加えた８０％メタノール１０ｍｌから分析試料を作成する。得られる分析試料を分光光度計で５４０ｎｍにおける吸光度を測定し、ベタシアニン含量についてLambert-Beerの法則に基づき、次式により換算する。
Ａ＝ｃ×ｌ×ε
上記式において、Ａ：吸光度、ｃ：濃度（ｍｏｌ-1）、ｌ：セル長（ｃｍ）、ε：吸光係数（Ｍ-1ｃｍ-1）を示し、ベタシアニンの分子量＝５５０、５４０ｎｍにおけるε（吸光係数）＝６．２×１０6として計算する。本発明では、ＮａＣｌ処理の場合は処理前に第４葉、第５葉を測定対象とし、処理後は第７葉、第８葉を測定対象として測定した。一方、ＫＣｌ処理の場合には、処理前に第５葉、第６葉を、処理後は第８葉、第９葉を対象とする。ここで、例えば第４葉とは、下から数えて４番目の葉を、第５葉とは同様に下から数えて５番目の葉のことであり、いずれの場合も目視で最大面積の葉を測定対象とするので、必ずしも前記葉を測定するとは限らないが、おおむね前記順番の葉が使用される。また、処理前の測定により第４葉、第５葉が一部喪失されるが、第７葉、第８葉はこれらの喪失した葉をカウントに入れて数えたものである。
【００３２】
クロロフィル含量の測定はPorra et al.（１９８９）の方法に準じて行う。すなわち、冷凍保存した葉を１２ｍｍリーフパンチで切り抜き、８０％アセトン１ｍｌを添加し、乳鉢・乳棒により磨砕して抽出する。抽出は２回行い、抽出後ろ液を３０００ｒｐｍで１０分間遠心分離し、上清を分析試料とした。得られる分析試料を分光光度計で下記各波長における吸光度を測定する。得られた吸光度から、クロロフィル含量を次式により換算する。
Chlorophyll a=12.25×（Ａ663.6−Ａ750）−2.55×（Ａ646.6−Ａ750）
Chlorophyll b=20.31×（Ａ646.6−Ａ750）−4.91×（Ａ663.6−Ａ750）
Chlorophyll a＋b=7.34×（Ａ663.6−Ａ750）＋17.76×（Ａ646.6−Ａ750）
各計算式中のＡは各測定波長での吸光度である。
【００３３】
前記に示すような方法により、アマランサスの細胞を調べたところ、本発明の栽培方法によれば、クロロフィルを減少させ、相対的にベタシアニンの色素量を増加させることによって赤色アマランサスの葉色を鮮やかな赤に発色させることができることが分かった。そのようなアマランサスの葉の細胞内におけるクロロフィルとベタシアニンの含有比は、５８０００：１３〜４００００：１７、好ましくは４５０００：１３〜３７０００：１９の範囲内にある。クロロフィルが前記比率より多くなると赤色が抑えられることになり、ベタシアニンが前記比率より多くなるようにすると塩ストレスがアマランサスの生育を阻害するおそれがあるからである。
【００３４】
以下本発明をより具体的に明らかにするために、本発明に係る幾つかの実施例を示す。
【実施例１】
【００３５】
バーミキュライト培地に赤色アマランサス（品種：Rocto Alta）を播種し、発芽・生育した苗を１７日後に水耕栽培装置へ移植した。１１日間、通常の水耕栽培用液肥で栽培したのち、５段階の濃度に調整したＮａＣｌを含む液肥に切り替え塩ストレスを与える栽培を開始した。処理区は０ｍＭ、２５ｍＭ、５０ｍＭ、７５ｍＭ、１００ｍＭとした。処理前と処理開始１週間後に、植物の葉色をＬ＊ａ＊ｂ＊表色系で測定し、さらにベタシアニン含量を測定した。
【００３６】
その結果を表１および図１〜図６に示す。
【００３７】
【表１】
2011217656.tif 000002
【００３８】
無処理区の葉では、処理開始の前後で全体的な葉色に大きな変化はなかった（表１、図１）。一方、塩ストレス処理するとａ＊とｂ＊の値が共に大きくなる傾向がみられ、葉の赤みが強くなった。特に葉色の変化は、５０ｍＭ以上の塩化ナトリウム濃度で塩ストレスをかけると明らかとなった。また、葉のベタシアニン含量を調べたところ、無処理との間で大きな差はなく、葉の色が赤くなる原因は他の要因によるものと推察される(図２)。
【実施例２】
【００３９】
実施例１の塩化ナトリウムに代えて塩化カリウムを用いた他は、実施例１と同様の方法にてアマランサスの水耕栽培を行った。処理前と処理開始１週間後に、植物の葉色をＬ＊ａ＊ｂ＊表色系で測定し、さらにベタシアニン含量とクロロフィルを測定した。
【００４０】
その結果を表２および図７〜図１３に示す。
【００４１】
【表２】
2011217656.tif 000003
【００４２】
無処理区の葉では、処理開始の前後で全体的な葉色に大きな変化はなかった（図３）。一方、塩化カリウムにより塩ストレスを与えるとａ＊とｂ＊の値が共に大きくなる傾向がみられ、葉の赤みが強くなった。特に葉色の変化は、７５ｍＭ以上の塩化カリウム濃度の場合に明らかになった。塩化カリウムで塩ストレスをかけたアマランサスのベタシアニン含量は、対照区と差がなく、この傾向は実施例１と同様であった。クロロフィルについてみると、７５ｍＭと１００ｍＭで含量が低下していた（図４、図５）。
【００４３】
前記クロロフィルとベタシアニンとの相対含有比率は約４５０００：１３〜３７０００：１９であった。塩化ナトリウムや塩化カリウムの塩を５０ｍＭ以上の濃度で添加することにより、無処理の場合と比較して、クロロフィルを減少させ、相対的にベタシアニンの色素量を増加させることができ、赤色アマランサスの葉色を鮮やかな赤色に変化させることに成功した。これによって、赤色アマランサスに所定濃度の金属塩を与えることで赤みの強いアマランサスを効率的に生産することが可能となった。
【産業上の利用可能性】
【００４４】
本発明の水耕栽培によれば、葉菜用アマランサスとして利用され葉が鮮やかな赤に発色させたアマランサスを単に塩ストレスをかけるという簡易な方法によって得ることができる。このアマランサスはタンパク質、鉄、カルシウム、カリウムなどのミネラルの他、必須アミノ酸であるリジン、メチオニン、フェニルアラニンなども多く含んでおり、健康食品として有用である。また、水田転換作物としても期待され、ホウレンソウと同様な調理法で、くせがなく、さっぱりした食感のため、おひたしや漬け物、炒め物や赤色を生かした野菜サラダなどに好適な野菜として商品価値が高い。
【００４５】
また、天然赤色色素であるベタシアニンを含むので、この色素を抽出して、食品や化粧品などの着色剤として好適に使用することもできる。
【図１】
2011217656.tif 000004
【図２】
2011217656.tif 000005
【図３】
2011217656.tif 000006
【図４】
2011217656.tif 000007
【図５】
2011217656.tif 000008
【図６】
2011217656.tif 000009
【図７】
2011217656.tif 000010
【図８】
2011217656.tif 000011
【図９】
2011217656.tif 000012
【図１０】
2011217656.tif 000013
【図１１】
2011217656.tif 000014
【図１２】
2011217656.tif 000015
【図１３】
2011217656.tif 000016